(57)【要約】【課題】外部容器との脱着が容易であり、含浸部材を安定的に収容可能な内部容器を備える化粧品容器を提供する。【解決手段】本発明の実施例によって化粧品容器が提供される。前記化粧品容器は、第１収容部が形成される外部容器と、化粧料が含浸された含浸部材が収容される第２収容部が形成され、前記外部容器の前記第１収容部の内側に脱着可能に結合する内部容器と、前記第２収容部の周りに結合され、上部面の一側から前記第２収容部の内側に下向き延長され、前記含浸部材が前記第２収容部の外側へ離脱することを防止する第１固定部が形成される結合部と、を備える。【選択図】  図１
2021503346.tif 000002
【特許請求の範囲】
【請求項１】
化粧品容器であって、
第１収容部が形成される外部容器と、
化粧料が含浸された含浸部材が収容される第２収容部が形成され、前記外部容器の前記第１収容部の内側に脱着可能に結合する内部容器と、
前記第２収容部の周りに結合され、上部面の一側から前記第２収容部の内側に下向き延長され、前記含浸部材が前記第２収容部の外側へ離脱することを防止する第１固定部が形成される結合部と、を備える化粧品容器。
【請求項２】
前記結合部は、前記第１固定部の先端から外側へ離隔して形成され、前記含浸部材の上面に対して前記第１固定部とは異なる領域を加圧することにより、前記含浸部材を固定する第２固定部をさらに有する請求項１に記載の化粧品容器。
【請求項３】
前記第２固定部は、前記第１固定部よりも前記第２収容部の内側に下向き突出される請求項２に記載の化粧品容器。
【請求項４】
前記含浸部材は、周縁が相互接合して形成され、接合部位を中心として上面と下面が互いに対向する凸状に形成されるが、
前記第１固定部と前記第２固定部は、前記含浸部材の上面の傾斜した前記接合部位の内側縁を加圧する請求項３に記載の化粧品容器。
【請求項５】
前記内部容器は、前記第２収容部が前記含浸部材に対応する形状を有して下面が膨らんで下向き突出され、前記外部容器は、前記第１収容部の内側に前記内部容器が収容されるように下面が膨らんで下向き突出される請求項４に記載の化粧品容器。
【請求項６】
前記外部容器の下面の少なくとも一部が開放して形成され、前記第１収容部に収容された前記内部容器の少なくとも一部が外側に露出する請求項５に記載の化粧品容器。
【請求項７】
前記第２固定部は、少なくとも一つの加圧突起を有し、前記加圧突起の少なくとも一つが前記含浸部材の上面を貫通して前記含浸部材を固定する請求項２に記載の化粧品容器。
【請求項８】
前記第１固定部は、少なくとも一部が前記第２収容部の中心に向かって傾斜して形成される請求項１に記載の化粧品容器。
【請求項９】
前記第１収容部の内側面には、少なくとも一つの固定突起が内側に突出形成され、前記内部容器の外側面に、前記固定突起に対応する少なくとも一つの固定溝が形成され、前記内部容器の結合時、前記固定突起が対応する前記固定溝にそれぞれ結着される請求項１に記載の化粧品容器。
【請求項１０】
前記内部容器を密閉して結合される内部カバーをさらに備え、
前記内部カバーの前記内部容器側の一面には、前記内部容器の枠部の内側面に密着して、前記内部容器を密閉する密閉部が設けられる請求項１に記載の化粧品容器。
【請求項１１】
前記外部容器を密閉して結合される外部カバーをさらに備え、
前記外部カバーは、第１ヒンジによって回動し、前記内部カバーは、第２ヒンジによって回動し、前記第１ヒンジ及び前記第２ヒンジは、互いに一定の角度だけ離隔して構成される請求項１０に記載の化粧品容器。
【請求項１２】
前記内部カバーにおいて、前記内部容器との反対側の一面には内側に窪んで第３収容部が形成される請求項１０に記載の化粧品容器。
【請求項１３】
前記第３収容部に収容される塗布具をさらに備える請求項１２に記載の化粧品容器。
【発明の詳細な説明】
【技術分野】
【０００１】
本発明は、化粧品容器に係り、さらに詳しくは、外部容器との脱着が容易であり、含浸部材を安定的に収容可能な内部容器を備える化粧品容器に関する。
【背景技術】
【０００２】
色調化粧品は、皮膚色を均一にし、欠点をカバーするために使うベースメーキャップと、唇、目、爪などに対して部分的に立体感を高めるポイントメーキャップとに分けられ、ベースメーキャップには、メーキャップベース、ファウンデーション、パウダーなどが含まれ、ポイントメーキャップには、リップスティック、アイライナー、マスカラなどが含まれている。
【０００３】
ファウンデーションは、化粧料の形態によって、固形ファウンデーション、液状ファウンデーション、ゲル状ファウンデーションに分けられ、固形ファウンデーションの場合、カバー力は高いが、化粧を直すときに凝集するという欠点がある。よって、近年、相当な持続力を有するとともに、皮膚への塗布時の密着感に優れた、液状またはゲル状ファウンデーションを好む消費者が多くなった。
【０００４】
これによって、液状またはゲル状ファウンデーション用の容器の開発も必要になっているが、一般には、ゲル状または液状ファウンデーションをガラス容器やチューブ容器に充填して使用するとき、ユーザが手に取ったり、絞り出したりして、パフ又は手で皮膚に塗布するという方式が用いられた。しかし、従来技術では、ユーザが使用するごとに手に化粧料がくっ付くことになり、毎度手を洗わなければならないので、使い勝手が悪いという問題点があり、このため、化粧料の損失が生じるという問題点があった。
【０００５】
上記した問題点を解決するために、コンパクト容器の内部に液状またはゲル状のファウンデーションを含浸させた含浸部材を内蔵し、含浸部材に含浸されたファウンデーションをパフ等の塗布具に付けて皮膚に塗るタイプのコンパクト容器が導入されたことがある。
【０００６】
この種のコンパクト容器では、必要に応じて、ファウンデーションが含浸された含浸部材を分離して入れ替えるようにするとともに、収容空間内に安定的に固定させなければならないことが必要であった。それで、従来は、含浸部材の収容空間に結合され、水平方向に段部を形成する環状の固定手段が主に用いられていた。
【０００７】
しかしながら、このような固定手段は、上面及び／または下面が平らな含浸部材を固定することに問題ないが、より多様な形状を有する含浸部材を効果的に支持するのに適していないという限界があった。特に、含浸部材が周縁から中心部に行くほど厚さが増える凸状である場合、この固定手段では、含浸部材を収容空間内に安定的に固定し難いという問題点があった。
【０００８】
したがって、これを解決するための技術が望まれている。
【発明の概要】
【発明が解決しようとする課題】
【０００９】
本発明は、上記問題点に鑑みなされたものであり、外部容器との脱着が容易であり、含浸部材を安定的に収容可能な内部容器を備える化粧品容器を提供することを目的とする。
【００１０】
本発明の技術的課題は、上述した技術的課題に制限されず、言及されなかった他の技術的課題は、以下の記載に基づいて当業者に明確に理解されるであろう。
【課題を解決するための手段】
【００１１】
本発明の実施例によって化粧品容器が提供される。前記化粧品容器は、第１収容部が形成される外部容器と、化粧料が含浸された含浸部材が収容される第２収容部が形成され、前記外部容器の前記第１収容部の内側に脱着可能に結合する内部容器と、前記第２収容部の周りに結合され、上部面の一側から前記第２収容部の内側に下向き延長され、前記含浸部材が前記第２収容部の外側へ離脱することを防止する第１固定部が形成される結合部と、を備えてもよい。
【００１２】
好ましくは、前記結合部は、前記第１固定部の先端から外側へ離隔して形成され、前記含浸部材の上面に対して前記第１固定部とは異なる領域を加圧することにより、前記含浸部材を固定する第２固定部をさらに有してもよい。
【００１３】
また、好ましくは、前記第２固定部は、前記第１固定部よりも前記第２収容部の内側に下向き突出されてもよい。
【００１４】
また、好ましくは、前記含浸部材は、周縁が相互接合して形成され、接合部位を中心として上面と下面が互いに対向する凸状に形成されるが、前記第１固定部と前記第２固定部は、前記含浸部材の上面の傾斜した前記接合部位の内側縁を加圧してもよい。
【００１５】
また、好ましくは、前記内部容器は、前記第２収容部が前記含浸部材に対応する形状を有して下面が膨らんで下向き突出され、前記外部容器は、前記第１収容部の内側に前記内部容器が収容されるように下面が膨らんで下向き突出されてもよい。
【００１６】
また、好ましくは、前記外部容器の下面の少なくとも一部が開放して形成され、前記第１収容部に収容された前記内部容器の少なくとも一部が外側に露出してもよい。
【００１７】
また、好ましくは、前記第２固定部は、少なくとも一つの加圧突起を有し、前記加圧突起の少なくとも一つが前記含浸部材の上面を貫通して前記含浸部材を固定することができる。
【００１８】
また、好ましくは、前記第１固定部は、少なくとも一部が前記第２収容部の中心に向かって傾斜して形成されてもよい。
【００１９】
また、好ましくは、前記第１収容部の内側面には、少なくとも一つの固定突起が内側に突出形成され、前記内部容器の外側面に、前記固定突起に対応する少なくとも一つの固定溝が形成され、前記内部容器の結合時、前記固定突起が対応する前記固定溝にそれぞれ結着されてもよい。
【００２０】
また、好ましくは、前記内部容器を密閉して結合される内部カバーをさらに備え、前記内部カバーの前記内部容器側の一面には、前記内部容器の枠部の内側面に密着して、前記内部容器を密閉する密閉部が設けられてもよい。
【００２１】
また、好ましくは、前記外部容器を密閉して結合される外部カバーをさらに備え、前記外部カバーは、第１ヒンジによって回動し、前記内部カバーは、第２ヒンジによって回動し、前記第１ヒンジ及び前記第２ヒンジは、互いに一定の角度だけ離隔して構成されてもよい。
【００２２】
また、好ましくは、前記内部カバーにおいて、前記内部容器との反対側の一面には内側に窪んで第３収容部が形成されてもよい。
【００２３】
また、好ましくは、前記第３収容部に収容される塗布具をさらに備えてもよい。
【発明の効果】
【００２４】
本発明によれば、結合部が内部容器の上部に結合され、結合部の固定部が、内部容器の内側に配置された化粧溶液が含浸された含浸部材を上側から支持することにより、含浸部材が離脱しないように安定的に固定することができる。特に、固定部を複数で構成し、外側に行くほど固定部の突出長さをさらに長く形成して、凸状を有する含浸部材をさらに安定的に固定することができる。
【００２５】
また、外側に配置される結合部の第２固定部の先端に複数の加圧突起を形成し、加圧突起の少なくとも一部を、含浸部材のメッシュ構造を通過して貫通させることにより、含浸部材への固定力を極大化することができる。
【００２６】
また、内部容器に含浸部材を収容するとき、含浸部材の露出部位が、その中心が上側に膨らんで突出した形態を有するようになるので、含浸部材から吐き出されてから塗布具に付かなかった残余の化粧料が外部に漏れず、周辺に収集されて、含浸部材に効果的に再吸収され得る。
【図面の簡単な説明】
【００２７】
本発明の詳細な説明において引用される図面をさらに充分に理解させるために、各図面の簡単な説明が提供される。
【図１】本発明の一実施例に係る化粧品容器を示す図である。
【図２】図１の化粧品容器の分解状態を示す図である。
【図３】図１の化粧品容器の外部容器及び外部カバーを示す図である。
【図４】図１の化粧品容器の内部容器及び内部カバーを示す図である。
【図５】図１の化粧品容器の内部カバーを示す側面図及び側断面図である。
【図６】図１の化粧品容器の内部容器を示す図である。
【図７】図１の化粧品容器の結合部を示す図である。
【図８】図１の化粧品容器の結合部を示す図である。
【図９】図１の化粧品容器の含浸部材を示す図である。
【発明を実施するための形態】
【００２８】
以下、添付された図面を参照して、本発明の好適な実施例について詳述する。各図面の構成要素に参照符号を付加するに当たって、同一の構成要素に対しては、たとえ他の図面上に表れても、できる限り同一の符号を付与することに留意してほしい。また、本発明の実施例を説明するに当たって、関連した公知構成または機能についての具体的な説明が本発明の実施例についての理解を妨害すると判断される場合は、その詳細な説明を省略する。また、本発明の実施例について後述するが、本発明の技術的思想は、これらに限定または制限されず、当業者によって変形されて多様に実施され得る。
【００２９】
明細書の全般にわたって、ある部分が他の部分に「連結」されているとは、「直接的に連結」されている場合のみならず、その中間に他の素子を介して「間接的に連結」されている場合も含む。また、ある部分がある構成要素を「含む」とは、特に拘りがない限り、他の構成要素を除くのではなく、他の構成要素を更に含んでもよいことを意味する。また、本発明に係る実施例の構成要素を説明するに当たって、第１、第２、Ａ、Ｂ、（ａ）、（ｂ）等の用語を使っている。これらの用語は、単にその構成要素を他の構成要素と区別するためのものであって、その用語により当該構成要素の本質、順序または手順等が限定されるものではない。
【００３０】
図１は、本発明の一実施例に係る化粧品容器を示す図であり、図２は、図１の化粧品容器の分解状態を示す図であり、図３は、図１の化粧品容器の外部容器及び外部カバーを示す斜視図であり、図４は、図１の化粧品容器の内部容器及び内部カバーを示す斜視図であり、図５は、図１の化粧品容器の内部カバーを示す側面図及び側断面図であり、図６は、図１の化粧品容器の内部容器を示す断面図である。
【００３１】
図１乃至図６を参照すると、化粧品容器１０００は、外部容器１００、外部カバー２００、内部容器３００、内部カバー４００、結合部５００、及び含浸部材６００を備える。
【００３２】
外部容器１００は、化粧品容器１０００内の各種の構成を収容するためのものであって、特に、その内部に、内部容器３００を収容するための第１収容部１１０が形成される。このような第１収容部１１０は、内部容器３００の外形に対応する形状を有し、第１収容部１１０の内側面には、内部容器３００との結合を固定するための少なくとも一つの固定突起１３０が形成される。外部容器１００の下面には、開放部１２０が形成される。すなわち、外部容器１００の下面の少なくとも一部が第１収容部１１０の内側に開放した開放部１２０が形成され、このような開放部１２０から第１収容部１１０に収容された内部容器３００の下面の少なくとも一部が外部容器１００の外側に露出して構成される。これにより、ユーザは、外側に露出した内部容器３００の領域を上側へ加圧する方式で、内部容器３００を外部容器１００の第１収容部１１０から分離しやすくなる。
【００３３】
外部カバー２００は、外部容器１００を密閉するように結合される。例えば、外部カバー２００は、外部容器１００の一側に第１ヒンジを介して結合され、このような第１ヒンジによって回動することにより、外部容器１００を密閉または開放することができる。一方、外部容器１００と外部カバー２００の対応する位置（例えば、第１ヒンジの反対側）には、外部カバー２００の密閉状態を維持するためのロック部（図示せず）が形成される。
【００３４】
内部容器３００は、含浸部材６００が収容される容器であって、外部容器１００の第１収容部１１０に脱着可能に結合される。例えば、内部容器３００は、外部容器１００の第１収容部１１０への定着のため、少なくとも一部が第１収容部１１０に対応する形状を有し、内部容器３００の外側面には、第１収容部１１０の固定突起１３０に対応する少なくとも一つの固定溝３５０が形成される。内部容器３００が第１収容部１１０の内側に挿入されると、内部容器３００の固定溝３５０にそれぞれ対応する固定突起１３０が結着されることにより、内部容器３００と外部容器１００との間の結合を固定するようになる。
【００３５】
内部容器３００には、含浸部材６００を収容するための第２収容部３１０が形成される。このため、第２収容部３１０の少なくとも一部が含浸部材６００に対応する形状を有する。このような第２収容部３１０の周りに結合部５００が結合され、含浸部材６００を第２収容部３１０の外側に離脱しないように支持する。
【００３６】
内部容器３００の上部には、第１枠部３２０と、第１枠部３２０から外側に離隔して配置される第２枠部３３０が形成される。例えば、第１枠部３２０は、第２収容部３１０の周りに沿って形成され、含浸部材６００を支持するための結合部５００が結合され、第２枠部３３０には、内部カバー４００が内部容器３００を密閉して結合される。内部容器３００の下部の周りには、第３枠部３４０が形成される。例えば、第３枠部３４０は、第２収容部３１０を形成する内部容器３００の下端部分を外側に離隔して取り囲むように形成される。一実施例において、第３枠部３４０は、内部容器３００の上部の第２枠部３３０に連続して構成されるが、第２枠部３３０よりも第２収容部３１０に近づいて形成（すなわち、外径が第２枠部３３０よりも小さく形成）されることにより、第２枠部３３０と第３枠部３４０の連結部位に段部（図示せず）が形成される。このような段部は、内部容器３００の結合時、第１収容部１１０に対応して形成される段部に定着される。
【００３７】
内部カバー４００は、内部容器３００を開放または密閉するものであって、カバー本体４１０、取っ手部４２０、密閉部４３０、及び第３収容部４４０を有する。内部カバー４００は、内部容器３００の一側に第２ヒンジを介して結合され、このような第２ヒンジによって回動することにより、内部容器３００を密閉または開放することができる。このとき、第２ヒンジは、干渉を防止するために、内部容器３００と外部容器１００の結合時、第１ヒンジから互いに一定の角度だけ離隔して配置されてもよい。
【００３８】
カバー本体４１０は、第２ヒンジに連結され、内部カバー４００を回動させ、内部容器３００の少なくとも一部を密閉及び開放し、取っ手部４２０、密閉部４３０、及び第３収容部４４０が形成及び結合される空間を提供する。
【００３９】
取っ手部４２０は、カバー本体４１０の外側に突出形成されている。ユーザの把持のためのものであって、取っ手部４２０を介して、ユーザが内部カバー４００を回動させ、内部容器３００を容易に開放及び密閉することができる。回動しやすくするために、取っ手部４２０は、第２ヒンジの反対側に形成されることが好ましいが、これに限定されない。
【００４０】
カバー本体４１０の底面（すなわち、内部容器３００側）には、内部容器３００の密閉のための密閉部４３０が設けられる。従来、密閉のための構成が硬性材質のプラスチックからなり、または硬質プラスチックに軟性材質の緩衝部を結合してなるのとは異なり、本発明による密閉部４３０は、全体が、例えば、ゴム、ウレタン、シリコン等の軟性材質で形成されることにより、より堅固な密閉力を与えながら、製造が容易である。
【００４１】
具体的に、密閉部４３０は、カバー本体４１０の周りに沿って形成されるが、中央が開放されてもよく、特に、周りに沿ってカバー本体４１０に向かって突出する密着突起４３２が形成される。密着突起４３２に対応してカバー本体４１０の底面には、周りに沿って密着溝４１２が形成される。密着溝４１２と密着突起４３２によって、カバー本体４１０と密閉部４３０との間の結合のための接触面積（すなわち、接着物質の塗布面積）を増加させることにより、密閉部４３０は、さらに堅固にカバー本体４１０に結合される。
【００４２】
また、密閉部４３０には、周りに沿って形成されるが、下側に突出した密閉突起４３４が設けられる。第２ヒンジの回動によって、密閉部４３０が内部容器３００に結合するとき、密閉突起４３４は、第２枠部３３０の内側面に密着することにより、内部容器３００を密閉して構成される。堅固な密閉のため、密閉突起４３４の外径は、第２枠部３３０の内径よりも小さく形成されることが好ましく、但し、これに限定されない。
【００４３】
密閉突起４３４の外側に、複数の結合突起４３６が形成される。結合突起４３６は、密閉突起４３４の外側面のうち、複数の領域が外側に突出したものであって、複数個で形成されてもよく、これらは、周り方向に互いに離隔してもよい。内部容器３００の第２枠部３３０の内面には、結合突起４３６に対応する結合溝が形成されており、これによって、密閉部４３０が内部容器３００に結合するとき、結合突起４３６は、結合溝に挿入され、密閉部４３０を内部容器３００に固定させるとともに、内部容器３００の密閉を達成することができる。
【００４４】
一方、結合突起４３６が複数個で離隔して形成されるのとは異なり、結合溝は、周りに沿って一体で形成される。すなわち、内部カバー４００と内部容器３００の結合によって、結合突起４３６が結合溝に挿入されるとき、内部カバー４００と内部容器３００との間において圧縮される空気が、密閉突起４３４の外側面のうち、結合突起４３６が形成されていない領域、及びこれに対応する結合溝から外部に抜け出るようにしてもよい。結合突起４３６が結合溝に挿入されてからは、密閉突起４３４が、第２枠部３３０の内側面に、周りに沿って堅固に密着して密閉を維持することができる。このように、密閉時に発生する内部カバー４００と内部容器３００との間に空気圧縮（すなわち、内圧）を効果的に解消することにより、内部カバー４００が内部容器３００を容易かつ安定的に密閉させることができる。
【００４５】
カバー本体４１０における内部容器３００の反対側の一面には、第３収容部４４０が形成される。第３収容部４４０は、カバー本体４１０が内側に窪んで形成され、第３収容部４４０の内側に、化粧料を塗布するための塗布具、例えば、パフ、ブラッシュ等が収容されるようになる。
【００４６】
実施例によって、密閉部４３０の密閉突起４３４の内側の密閉底面４３８が追加の密閉を与える。具体的に、内部カバー４００が内部容器３００を密閉するとき、密閉底面４３８は、内部容器３００の第１枠部３２０に挿入された結合部５００の上面を加圧する。これによって、結合部５００の内側の含浸部材６００を一次的に密閉させ、密閉部４３０が二重の密閉を与えることができる。
【００４７】
結合部５００は、内部容器３００の第１枠部３２０に結合され、第２収容部３１０に収容される化粧料が含浸された含浸部材６００の少なくとも一領域を加圧または支持することにより、第２収容部３１０の外側に離脱しないように含浸部材６００を固定する。結合部５００は、含浸部材６００が第２収容部３１０の開放した上面から外部に露出するように、中央部分が開放した環状になるが、これに限定されない。
【００４８】
含浸部材６００は、化粧料が含浸された状態で、内部容器３００の第２収容部３１０に収容される。含浸部材６００に含浸された化粧料は、化粧用塗布具（例えば、パフ等）に付けて使われる。ここで、化粧料は、例えば、ローション、ミルクローション、モイスチャーローション、栄養ローション、スキンローション、スキンソフナー、スキントナー、アストリンゼント、マッサージクリーム、栄養クリーム、モイスチャークリーム、サンクリーム、エッセンス、サンミルク、ＢＢクリーム、化粧下地、ファンデーション、ＣＣクリーム、日焼け止めクリーム、ほお紅、コンシーラー、アイシャドウ、アイブローのような多様な化粧料を含んでもよく、前記化粧料は、液状またはゲル状が好ましいが、少なくとも一部が非液状（すなわち、固形または半固形）であってもよい。
【００４９】
含浸部材６００は、多孔性材質で構成され、内部に化粧料が含浸され、外力が加えられて、含浸した化粧料が吐き出されるものであって、例えば、天然ゴム、合成樹脂、ポリウレタン、ラテックス、アクリロニトリル・ブタジエンゴム（ＮＢＲ）、ブタジエンゴム（ＢＲ）、スチレン・ブタジエンゴム（ＳＢＲ）、クロロプレンゴム（ＣＲ）、ブチルゴム（ＩＩＲ）、イソプレンゴム（ＩＲ）、加硫エチレン・プロプレンゴム（ＥＰＲ）、多硫化ゴム、シリコンゴム、フッ素ゴム、ウレタンゴム、アクリルゴム、ＥＰＤＭ（Ｅｔｈｙｌｅｎｅ  ｐｒｏｐｙｌｅｎｅ  ｄｉｅｎｅ  ｍｏｎｏｍｅｒ）ゴム、ポリビニルアルコール（ＰＶＡ）及びエチレンビニルアセテート（ＥＶＡ）、ニトリルゴム、及びこれらの混合物からなる群より選ばれる一つ以上の材質からなってもよいが、これに限定されない。実施例によって、含浸部材６００は、天然繊維、人造繊維、及びこれらの混合物からなる群より選ばれる一つ以上の繊維からなってもよい。
【００５０】
含浸部材６００は、上面６１０と下面６２０が互いに反対方向に突出して凸状からなり、上面６１０と下面６２０は、含浸された化粧料を外部に吐き出すために、多数の吐出孔が形成されたメッシュ構造であってもよい。このとき、吐出孔の形状は、円形、多角形等、多様である。前記メッシュ構造は、繊維糸等の製織により形成され、または発泡フォームまたはスポンジで形成されてもよく、但し、これに限定されず、吐出孔の形成のための多様な構成が適用される。
【００５１】
このような含浸部材６００の形状を考慮して、内部容器３００は、第２収容部が含浸部材６００に対応する形状を有するように、下面が膨らんで下向き突出され、外部容器１００も、第１収容部１１０の内側に内部容器３００を収容するように、下面が膨らんで下向き突出されるようになる。
【００５２】
また、含浸部材６００は、第２収容部３１０に収容されるとき、結合部５００によって周り部分が加圧または支持され、凸状の中央部分が上側に突出して内部カバー４００の開放によってユーザに露出するようになっている。
【００５３】
結合部５００と含浸部材６００については、それぞれ図７、図８、図９を参照して詳述する。
【００５４】
一方、図１乃至図６に示す化粧品容器１０００の形状は、例示的なものであって、本発明が適用される実施例によって多様な構成が適用される。
【００５５】
図７及び図８は、図１の化粧品容器の結合部を示す。より具体的に、図７は、結合部の上面斜視図（図７の（ａ））及び底面斜視図（図７の（ｂ））であり、図８は、結合部の断面図である。
【００５６】
図７及び図８を参照すると、結合部５００は、環状からなり、内部容器３００の第２収容部３１０に収容された含浸部材６００を加圧または支持するための第１固定部５１０及び第２固定部５２０が形成される。
【００５７】
第１固定部５１０は、結合部５００の上部面の一側（例えば、環状の内側）から第２収容部３１０の内側に下向き延長され、先端が含浸部材６００の一領域に密着され、当該領域を加圧及び支持することができる。一実施例において、第１固定部５１０は、少なくとも一部が第２収容部３１０の中心を向かって傾斜して形成される。これは、本発明による含浸部材６００の上面の周りが傾斜して形成されることを勘案したものであって、これにより、第１固定部５１０は、含浸部材６００をさらに安定的に支持し、第２固定部５２０の形成空間を確保することができる。
【００５８】
第２固定部５２０は、第１固定部５１０の先端から外側に離隔して形成され、含浸部材６００の上面に対して第１固定部５１０とは異なる領域を加圧（及び／または支持）することにより、含浸部材６００を固定することができる。第２固定部５２０により加圧される領域は、第１固定部５１０により加圧される領域よりも含浸部材６００の周縁に近く位置するので、第２固定部５２０は、第１固定部５１０よりも第２収容部３１０の内側に下向き突出して構成される。
【００５９】
第２固定部５２０は、少なくとも一つの加圧突起５２２を有する。例えば、加圧突起５２２は、第２固定部５２０の先端面において第２収容部３１０の周りに沿って離隔して配置される。このような加圧突起５２２が含浸部材６００の上面を加圧及び／または貫通することにより、含浸部材６００を移動または離脱しないように固定する。
【００６０】
実施例によって、結合部５００が内部容器３００と結合した状態で、含浸部材６００を加圧及び／または貫通し、または含浸部材６００が内部容器３００から分離されるとき、含浸部材６００を加圧及び／または貫通して含浸部材６００の離脱を防止する。
【００６１】
結合部５００の上部面の他の一側（例えば、環状の外側）には、これから下向き延長される第４枠部５３０が形成される。一実施例において、第１固定部５１０及び／または第２固定部５２０と第４枠部５３０との間の離隔空間に、内部容器３００の第１枠部３２０が挿入されて嵌合されることにより、結合部５００が内部容器３００に結合されるようになる。
【００６２】
図９は、図１の化粧品容器の含浸部材を示す図である。
【００６３】
図９を参照すると、含浸部材６００は、周縁６３０が相互接合されて形成される。このような接合は、本発明が適用される実施例によって、多様な方式で行われてもよい。例えば、接着物質、外部から熱が印加される外熱接合、内部で熱を発生させる内熱接合等が行われる。これにより、本発明による含浸部材６００は、外側縁からの化粧料の漏れ、及びこれによる化粧品容器の汚染、ユーザの不便さ等を取り除くことができる。
【００６４】
このように、含浸部材６００は、周縁６３０が相互接合して形成されることにより、接合された周縁６３０を中心として上面６１０と下面６２０が互いに対向する凸状をなす。これにより、含浸部材６００の上面６１０は、少なくとも一領域において、周縁６３０に行くほど下向き傾斜し、下面６２０は、少なくとも一領域において、周縁６３０に行くほど上向き傾斜するようになってもよい。特に、含浸部材６００は、周縁６３０の内側縁部が、上記のように周縁６３０に向かって下向きまたは上向き傾斜して形成されてもよい。
【００６５】
本発明において、結合部５００の第１固定部５１０と第２固定部５２０は、含浸部材６００の上面の傾斜した周縁６３０の内側縁を加圧して、含浸部材６００を固定するようになる。このとき、結合部５００は、外側に配置された第２固定部５２０が、第１固定部５１０よりも第２収容部３１０の内側にさらに下向き突出されることにより、このような傾斜した周り部分を効果的に加圧して、含浸部材６００を安定的に第２収容部３１０の内部に固定することができるようになる。
【００６６】
以上のように、図面及び明細書において最適な実施形態が開示された。ここで、特定の用語が用いられたが、これは単に本発明を説明するための目的で用いられたものに過ぎず、意味を限定したり、請求の範囲に記載の本発明の範囲を制限したりするために用いられたものではない。よって、この技術分野における通常の知識を有する者であれば、これから種々の変形及び均等な他の実施形態が可能であることが理解されるであろう。よって、本発明の真の技術的な保護範囲は、添付の請求の範囲の技術的な思想によって定められるべきである。
【符号の説明】
【００６７】
１００  外部容器
１１０  第１収容部
１２０  開放部
１３０  固定突起
２００  外部カバー
３００  内部容器
３１０  第２収容部
３２０  第１枠部
３３０  第２枠部
３４０  第３枠部
３５０  固定溝
４００  内部カバー
４１０  カバー本体
４１２  密着溝
４２０  取っ手部
４３０  密閉部
４３２  密着突起
４３４  密閉突起
４３６  結合突起
４３８  密閉底面
４４０  第３収容部
５００  結合部
５１０  第１固定部
５２２  加圧突起
５２０  第２固定部
５３０  第４枠部
６００  含浸部材
６１０  上面
６２０  下面
６３０  周縁
１０００  化粧品容器
【図１】
2021503346.tif 000003
【図２】
2021503346.tif 000004
【図３】
2021503346.tif 000005
【図４】
2021503346.tif 000006
【図５】
2021503346.tif 000007
【図６】
2021503346.tif 000008
【図７】
2021503346.tif 000009
【図８】
2021503346.tif 000010
【図９】
2021503346.tif 000011
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
化粧品容器であって、
第１収容部が形成される外部容器と、
化粧料が含浸された含浸部材が収容される第２収容部が形成され、前記外部容器の前記第１収容部の内側に脱着可能に結合する内部容器と、
前記第２収容部の周りに結合され、上部面の一側から前記第２収容部の内側に下向き延長され、前記含浸部材が前記第２収容部の外側へ離脱することを防止する第１固定部が形成される結合部と、を備える化粧品容器。
【請求項２】
前記結合部は、前記第１固定部の先端から外側へ離隔して形成され、前記含浸部材の上面に対して前記第１固定部とは異なる領域を加圧することにより、前記含浸部材を固定する第２固定部をさらに有する請求項１に記載の化粧品容器。
【請求項３】
前記第２固定部は、前記第１固定部よりも前記第２収容部の内側に下向き突出される請求項２に記載の化粧品容器。
【請求項４】
前記含浸部材は、周縁が相互接合して形成され、接合部位を中心として上面と下面が互いに対向する凸状に形成されるが、
前記第１固定部と前記第２固定部は、前記含浸部材の上面の傾斜した前記接合部位の内側縁を加圧する請求項３に記載の化粧品容器。
【請求項５】
前記含浸部材は、周縁が相互接合されることにより、接合部位を中心として上面と下面が互いに対向する凸状に形成され、
前記内部容器は、前記第２収容部が前記含浸部材に対応する形状を有して下面が膨らんで下向き突出される請求項１に記載の化粧品容器。
【請求項６】
前記外部容器は、前記第１収容部の内側に前記内部容器が収容されるように下面が膨らんで下向き突出される請求項５に記載の化粧品容器。
【請求項７】
前記第２固定部は、少なくとも一つの加圧突起を有し、前記加圧突起の少なくとも一つが前記含浸部材の上面を貫通して前記含浸部材を固定する請求項２に記載の化粧品容器。
【請求項８】
前記第１固定部は、少なくとも一部が前記第２収容部の中心に向かって傾斜して形成される請求項１に記載の化粧品容器。
【請求項９】
前記第１収容部の内側面には、少なくとも一つの固定突起が内側に突出形成され、前記内部容器の外側面に、前記固定突起に対応する少なくとも一つの固定溝が形成され、前記内部容器の結合時、前記固定突起が対応する前記固定溝にそれぞれ結着される請求項１に記載の化粧品容器。
【請求項１０】
前記内部容器を密閉して結合される内部カバーをさらに備え、
前記内部カバーの前記内部容器側の一面には、前記内部容器の枠部の内側面に密着して、前記内部容器を密閉する密閉部が設けられる請求項１に記載の化粧品容器。
【請求項１１】
前記外部容器を密閉して結合される外部カバーをさらに備え、
前記外部カバーは、第１ヒンジによって回動し、前記内部カバーは、第２ヒンジによって回動し、前記第１ヒンジ及び前記第２ヒンジは、互いに一定の角度だけ離隔して構成される請求項１０に記載の化粧品容器。
【請求項１２】
前記内部カバーにおいて、前記内部容器との反対側の一面には内側に窪んで第３収容部が形成される請求項１０に記載の化粧品容器。
【請求項１３】
前記第３収容部に収容される塗布具をさらに備える請求項１２に記載の化粧品容器。
【国際調査報告】
2021503346.tif 000012
2021503346.tif 000013
2021503346.tif 000014
2021503346.tif 000015